(57)【要約】【課題】正規のクレジットカード所持者が知らない間に、偽造クレジットカードでの支払い、または、インターネット上での不正使用によるクレジットカード支払いが行われていた。【解決手段】クレジットカード１００は、位置情報を取得する位置情報取得部１０３と、位置に関する問い合わせを受信し、位置情報を送信する位置情報送受信部１０２を具備する。情報処理装置３００は、カード識別情報と、使用場所情報を受信する情報受信部３０１と、情報受信部で受信したカード識別情報で識別されるクレジットカードの位置に関する問い合わせをし、当該問合せに対応する位置情報を受信する位置情情報問合受信部３０２と、位置情報と使用場所情報が一定の条件を満たすか否かを判断する判断部３０４と、位置情報と使用場所情報が一定の条件を満たすか否かの判断結果情報を送信する判断結果情報送信部３０５を具備する。【選択図】図１
2005107661.tif 000002
【特許請求の範囲】
【請求項１】
位置に関する情報である位置情報を取得する位置情報取得部と、
位置に関する問い合わせを受信し、前記位置情報を送信する位置情報送受信部を具備するクレジットカード。
【請求項２】
クレジットカードを使用する場所に関する情報である使用場所情報を格納している使用場所情報格納部と、
クレジットカードを識別する情報であるカード識別情報を取得するカード識別情報取得部と、
前記使用場所情報と、前記カード識別情報を送信し、当該カード識別情報で識別されるクレジットカードの位置情報と当該使用場所情報が一定の条件を満たすか否かを示す情報である判断結果情報を受信する判断結果情報送受信部と、
前記判断結果情報送受信部が受信した判断結果情報を出力する判断結果情報出力部を具備するクレジットカード決済装置。
【請求項３】
前記判断結果情報送受信部が受信した判断結果情報が、前記位置情報と前記使用場所情報が一定の条件を満たすことを示す情報である場合、カード決済を実行する決済実行部を、さらに具備する請求項２記載のクレジットカード決済装置。
【請求項４】
クレジットカードを使用する場所に関する情報である使用場所情報と、クレジットカードを識別する情報であるカード識別情報を送信し、当該カード識別情報で識別されるクレジットカードの位置情報と当該使用場所情報が一定の条件を満たすか否かを示す情報である判断結果情報を受信し、当該判断結果情報が、一定の条件を満たすことを示す情報である場合に、カード決済を実行するクレジットカード決済装置。
【請求項５】
クレジットカードを識別する情報であるカード識別情報と、クレジットカードを使用する場所に関する情報である使用場所情報を受信する情報受信部と、
前記情報受信部で受信したカード識別情報で識別されるクレジットカードの位置に関する問い合わせをし、当該問合せに対応する位置情報を受信する位置情情報問合受信部と、
前記位置情報問合受信部が受信した位置情報と前記使用場所情報が一定の条件を満たすか否かを判断する判断部と、
前記判断部がした判断の結果を示す情報である判断結果情報を送信する判断結果情報送信部を具備する情報処理装置。
【請求項６】
クレジットカードと、クレジットカード決済装置と、情報処理装置とを有するクレジットカード決済システムであって、
前記クレジットカードは、
位置に関する情報である位置情報を取得する位置情報取得部と、
位置に関する問い合わせを受信し、前記位置情報を送信する位置情報送受信部を具備し、
前記クレジットカード決済装置は、
クレジットカードを使用する場所に関する情報である使用場所情報を格納している使用場所情報格納部と、
クレジットカードを識別する情報であるカード識別情報を取得するカード識別情報取得部と、
前記使用場所情報と、前記カード識別情報を送信し、当該カード識別情報で識別されるクレジットカードの位置情報と当該使用場所情報が一定の条件を満たすか否かを示す情報である判断結果情報を受信する判断結果情報送受信部と、
前記判断結果送受信部で受信した判断結果情報が前記位置情報と前記使用場所情報が一定の条件を満たすことを示す情報である場合、カード決済を実行する決済実行部を具備し、
前記情報処理装置は、
クレジットカードを識別する情報であるカード識別情報と、クレジットカードを使用する場所に関する情報である使用場所情報を受信する情報受信部と、
前記情報受信部で受信したカード識別情報で識別されるクレジットカードの位置に関する問い合わせをし、当該問合せに対応する位置情報を受信する位置情情報問合受信部と、
前記位置情報問合受信部が受信した位置情報と前記使用場所情報が一定の条件を満たすか否かを判断する判断部と、
前記判断部がした判断の結果を示す情報である判断結果情報を送信する判断結果情報送信部を具備するクレジットカード決済システム。
【請求項７】
コンピュータに、
クレジットカードを識別する情報であるカード識別情報を取得するカード識別情報取得ステップと、
クレジットカードを使用する場所に関する情報である使用場所情報と、前記カード識別情報を送信する送信ステップと、
前記カード識別情報で識別されるクレジットカードの位置情報と前記使用場所情報が一定の条件を満たすか否かを示す情報である判断結果情報を受信する判断結果情報受信ステップと、
前記判断結果情報受信ステップで受信した判断結果情報を出力する判断結果情報出力ステップを実行させるためのプログラム。
【請求項８】
コンピュータに、
前記判断結果情報送受信ステップで受信した判断結果情報が前記位置情報と前記使用場所情報が一定の条件を満たすことを示す情報である場合、カード決済を実行する決済実行ステップを、さらに実行させるための請求項７記載のプログラム。
【請求項９】
コンピュータに、
クレジットカードを識別する情報であるカード識別情報と、クレジットカードを使用する場所に関する情報である使用場所情報を受信する情報受信ステップと、
前記情報受信ステップで受信したカード識別情報で識別されるクレジットカードの位置に関する問い合わせをし、当該問合せに対応する位置情報を受信する位置情報問合受信ステップと、
前記位置情報問合受信ステップが受信した位置情報と前記使用場所情報が一定の条件を満たすか否かを判断する判断ステップと、
前記判断ステップでした判断の結果を示す情報である判断結果情報を送信する判断結果情報送信ステップを実行させるためのプログラム。
【発明の詳細な説明】
【技術分野】
【０００１】
本発明は、位置情報を取得し、送信するクレジットカード等に関する。
【背景技術】
【０００２】
従来から、クレジットカードによる商品、サービス等の支払い方法がある。近年、このクレジットカードによる支払いの際に、不正な手段でクレジットカードの情報を盗む被害が多発している。かかる盗まれたクレジットカードの情報を基に、偽造クレジットカードが作られることは周知である。また。盗まれたクレジットカードの情報を使用して、不正に、インターネット上でのクレジットカード支払を行うことも頻発している。
【０００３】
また、従来技術として、以下のクレジットカード認証システム（特許文献１参照）がある。本クレジットカード認証システムは、カード情報を読み取る販売店端末に識別番号を付し、認証センターで当該識別番号に対応する位置情報を検索する。一方、カード情報からクレジットカード使用者が携帯する携帯端末番号を検索し、当該携帯端末の現在位置を検索し、この携帯端末の現在位置と販売店端末の位置を比較することで、クレジットカード使用者が正規のカード所持者か否かを判断する。
【特許文献１】特開２００２−２８８７４４号公報（第１頁、第１図等）
【発明の開示】
【発明が解決しようとする課題】
【０００４】
通常、正規のクレジットカード所持者が知らない間に、偽造クレジットカードでの支払い、または、インターネット上での不正使用によるクレジットカード支払いが行われる。そして、請求書が手元に届いてから、偽造クレジットカードの存在、不正使用が行われたことに気づく。しかし、気づかず、そのまま請求金額を支払うこともあり、かかる場合には、正規のクレジットカード所持者は、請求金額分の損害を蒙るものである。
【０００５】
また、クレジットカード認証システムは、クレジットカード使用者が正規のクレジットカード所持者であるか否かを、携帯端末の現在位置と販売店端末の位置を比較することで判断する。しかし、カード所持者が携帯端末を支払時に携帯していなければ、上記のシステムは有効でないという問題がある。
【課題を解決するための手段】
【０００６】
本発明のクレジットカードは、位置に関する情報である位置情報を取得する位置情報取得部と、位置に関する問い合わせを受信し、位置情報を送信する位置情報送受信部を具備することを特徴としている。
【０００７】
この構成により、クレジットカードの位置が特定されるため、当該位置と、偽造クレジットカードが使用されている使用場所と比較して、正規のカード使用者であるか否かを判断し、不正なカード支払を未然に防止できる。また、クレジットカードが紛失した場合に、クレジットカードの位置を調べることができる。
【０００８】
他の本発明のクレジットカード決済装置は、クレジットカードを使用する場所に関する情報である使用場所情報を格納している使用場所情報格納部と、クレジットカードを識別する情報であるカード識別情報を取得するカード識別情報取得部と、使用場所情報と、カード識別情報を送信し、当該カード識別情報で識別されるクレジットカードの位置情報と当該使用場所情報が一定の条件を満たすか否かを示す情報である判断結果情報を受信する判断結果情報送受信部と、判断結果情報送受信部が受信した判断結果情報を出力する判断結果情報出力部を具備することを特徴としている。
【０００９】
この構成により、例えば、不正にクレジットカードが使用されたか否かの判断結果を受信できるので、例えば、正規のカード所有者でない者の使用であることが分かれば、クレジットカードでの支払を停止することができる。よって、不正にクレジットカードでの支払が行われず、正規カード所有者は損害を蒙らない。さらに、販売店においても、偽造クレジットカードでの支払いを拒否することができ、未然に、犯罪を防止することが可能である。
【００１０】
他の本発明のクレジットカード決済装置は、判断結果情報送受信部が受信した判断結果情報が位置情報と使用場所情報が一定の条件を満たすことを示す情報である場合、カード決済を実行する決済実行部を、さらに具備することを特徴としている。
【００１１】
この構成により、例えば、不正なクレジットカードの使用である内容の判断結果を受信した場合、カード決済ができないように、例えば、クレジットカード決済装置を停止等できる。よって、誤って、カード決済する等の問題は生じない。
【００１２】
また、他の本発明のクレジットカード決済装置は、クレジットカードを使用する場所に関する情報である使用場所情報と、クレジットカードを識別する情報であるカード識別情報を送信し、当該カード識別情報で識別されるクレジットカードの位置情報と当該使用場所情報が一定の条件を満たすか否かを示す情報である判断結果情報を受信し、当該判断結果情報が、一定の条件を満たすことを示す情報である場合に、カード決済を実行することを特徴としている。
【００１３】
また、他の本発明の情報処理装置は、クレジットカードを識別する情報であるカード識別情報と、クレジットカードを使用する場所に関する情報である使用場所情報を受信する情報受信部と、情報受信部で受信したカード識別情報で識別されるクレジットカードの位置に関する問い合わせをし、当該問合せに対応する位置情報を受信する位置情情報問合受信部と、位置情報問合受信部が受信した位置情報と使用場所情報が一定の条件を満たすか否かを判断する判断部と、判断部がした判断の結果を示す情報である判断結果情報を送信する判断結果情報送信部を具備することを特徴としている。
【００１４】
この構成により、情報処理装置は、クレジットカードの位置情報と、クレジットカードの使用場所情報を取得し、当該位置情報と使用場所情報が一定の条件を満たすか否かを判断することで、正規のカード所有者か不正使用者かを判断することができる。したがって、情報処理装置は、偽装クレジットカードによる不正な支払か否かを判断できる。また、インターネット上での不正なクレジットカード支払か否かを判断できる。よって、特許文献１のクレジットカード認証システムのように、携帯端末を支払時に携帯していないと不正なカード使用か否かを判断できない等の問題は生じない。すなわち、クレジットカードから位置情報を取得して、カード所有者の位置を知ることができ、特許文献１のクレジットカード認証システムのように、携帯端末の位置を検出する手間を必要とせず、さらに本発明では携帯端末を必要としない。
【００１５】
また、他の本発明のクレジットカード決済システムは、クレジットカードと、クレジットカード決済装置と、情報処理装置とを有するクレジットカード決済システムであって、クレジットカードは、位置に関する情報である位置情報を取得する位置情報取得部と、位置に関する問い合わせを受信し、位置情報を送信する位置情報送受信部を具備し、クレジットカード決済装置は、クレジットカードを使用する場所に関する情報である使用場所情報を格納している使用場所情報格納部と、クレジットカードを識別する情報であるカード識別情報を取得するカード識別情報取得部と、使用場所情報と、カード識別情報を送信し、当該カード識別情報で識別されるクレジットカードの位置情報と当該使用場所情報が一定の条件を満たすか否かを示す情報である判断結果情報を受信する判断結果情報送受信部と、判断結果送受信部で受信した判断結果情報が位置情報と使用場所情報が一定の条件を満たすことを示す情報である場合、カード決済を実行する決済実行部を具備し、情報処理装置は、クレジットカードを識別する情報であるカード識別情報と、クレジットカードを使用する場所に関する情報である使用場所情報を受信する情報受信部と、情報受信部で受信したカード識別情報で識別されるクレジットカードの位置に関する問い合わせをし、当該問合せに対応する位置情報を受信する位置情情報問合受信部と、位置情報問合受信部が受信した位置情報と使用場所情報が一定の条件を満たすか否かを判断する判断部と、判断部がした判断の結果を示す情報である判断結果情報を送信する判断結果情報送信部を具備することを特徴としている。
【００１６】
この構成により、偽造クレジットカードでの支払いを簡単に防止できる。また、不正な手段でインターネット上でのクレジットカード支払いも未然に防止できる。
【発明の効果】
【００１７】
本発明によるクレジットカード等によれば、偽造クレジットカードでの支払いを簡単に防止できる。また、不正な手段でインターネット上でのクレジットカード支払いも未然に防止できる。
【発明を実施するための最良の形態】
【００１８】
（実施の形態１）
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００１９】
図１は、本実施の形態におけるクレジットカード１００、クレジットカード決済装置２００、情報処理装置３００の構成を示すブロック図である。クレジットカード１００は、カード識別情報格納部１０１、位置情報送受信部１０２、位置情報取得部１０３を有する。クレジットカード決済装置２００は、使用場所情報格納部２０１、カード識別情報取得部２０２、判断結果情報送受信部２０３、判断結果情報出力部２０４、決済実行部２０５を有する。情報処理装置３００は、情報受信部３０１、位置情報問合受信部３０２、カード所有者情報格納部３０３、判断部３０４、判断結果情報送信部３０５を有する。位置情報問合受信部３０２は、検索手段３０２１、問合受信手段３０２２を有する。
【００２０】
なお、情報処理装置３００は、通常の電子計算機が有するＣＰＵ、メインメモリ、記録媒体（例えば、ＲＯＭ、ＥＰＲＯＭ等）等のハードウエア資源を具備する（図示しない）。
【００２１】
カード識別情報格納部１０１は、カード識別情報を格納している。「カード識別情報」とは、クレジットカードを識別する情報であり、例えば、カード番号、カード所有者氏名等である。カード識別情報格納部１０１は、不揮発性の記録媒体が好適であるが、揮発性の記録媒体でも良い。
【００２２】
位置情報送受信部１０２は、位置に関する問い合わせを受信し、位置情報を送信する。「位置情報」とは、位置に関する情報であり、例えば、緯度経度、住所等である。位置情報送受信部１０２は、例えば、無線通信手段等で実現されうる。
【００２３】
位置情報取得部１０３は、位置情報を取得する。例えば、緯度経度を取得する場合、位置情報取得部１０３は、ＧＰＳ手段を有して実現されうる。また、近くの通信アンテナ等から位置を検出して住所を取得する場合、位置情報取得部１０３は、通信手段等で実現されうる。なお、「通信アンテナ等から位置を検出して住所を取得する」方法は、従来技術であり、詳細な説明は省略する。また、例えば建築物に貼付されている無線タグから位置情報を取得する場合、位置情報取得部１０３は、無線タグリーダー等で実現されうる。
【００２４】
使用場所情報格納部２０１は、使用場所情報を格納している。「使用場所情報」とは、クレジットカードを使用する場所に関する情報であり、例えば、緯度経度、住所、建築物内の詳細な位置等の情報である。クレジットカードを使用する場所は、いろいろな場所があり、例えば、カードリーダー付きキャッシュレジスターが設置されている場所、また、移動可能なカードリーダーの場合、当該カードリーダーの位置が、使用する場所である。また、インターネットショッピングする場合は、パソコン、携帯電話、携帯端末等の位置が、使用する場所である。使用場所情報格納部２０１は、不揮発性の記録媒体が好適であるが、揮発性の記録媒体でも良い。なお、移動可能なカードリーダーの場合、予め、使用場所情報を格納していてもよく、していなくても良い。予め使用場所情報を格納していない場合、使用場所情報を取得する。かかる場合、カードリーダーは、使用場所情報を取得する取得手段を、さらに具備する。取得手段は、位置情報取得部１０３と同様に、例えば、ＧＰＳ手段、または通信手段、または無線タグリーダー等で実現されうる。
【００２５】
カード識別情報取得部２０２は、クレジットカード１００からカード識別情報を取得する。「取得する」とは、クレジットカード決済装置２００が、例えば、カードリーダー付きキャッシュレジスター、移動可能なカードリーダー等の場合、カードリーダーの所定場所で、クレジットカードをスライドさせて、カード識別情報を取得する。なお、「カードリーダー」は従来技術であるので、詳細な説明は省略する。かかる場合、カード識別情報取得部２０２は、例えば、カードリーダー等で実現されうる。また、「取得する」とは、クレジットカード決済装置２００が、例えば、パソコン、携帯電話、携帯端末等である場合、Ｗｅｂサイト画面内の所定フィールドに入力されたカード番号等のカード識別情報を受け付けることで、カード識別情報を取得する。かかる場合、カード識別情報取得部２０２は、カード識別情報を受け付ける受付手段を有して実現される。受付手段は、キーボード、ボタン等の入力デバイス手段と、そのドライバーソフト等で実現されうる。また、カード識別情報が無線タグに内蔵の記録媒体に格納されている場合、カード識別情報取得部２０２は、無線タグリーダー等で実現されうる。また、カード識別情報が送信される場合、カード識別情報取得部２０２は、カード識別情報を受信する受信手段等で実現されうる。
【００２６】
判断結果情報送受信部２０３は、使用場所情報と、カード識別情報を情報処理装置３００に送信する。また、判断結果情報送受信部２０３は、当該カード識別情報で識別されるクレジットカードの位置情報と当該使用場所情報が一定の条件を満たすか否かを示す情報である判断結果情報を情報処理装置３００から受信する。「一定の条件を満たす」とは、例えば、位置情報と使用場所情報が完全に一致する、または、ほぼ一致することである。「ほぼ一致する」とは、位置情報と使用場所情報が緯度経度の情報である場合、例えば、「○○度△△分２４秒」うち、「２４秒」の部分がほぼ一致する場合である。例えば、「２４秒」と「２３秒」と「２５秒」は、「ほぼ一致する」と判断する。また、位置情報が「大阪市中央区大手町１丁目５番６３号」であり、使用場所情報が「大阪市中央区大手町１丁目５番６３号ＡＡＡストア３階」等である場合、「大阪市中央区大手町１丁目５番６３号」の情報は同一であるので、「ほぼ一致する」と判断する（図７参照）。なお、「一定の条件を満たす」とは、上記に限定されず、その他の内容でもよいことは言うまでもない。判断結果情報送受信部２０３は、例えば、ネットワークカードとそのドライバーソフト等で実現されうる。また、クレジットカード決済装置２００が携帯端末、携帯電話等である場合、判断結果情報送受信部２０３は、例えば、通信手段等で実現されうる。なお、判断結果情報送受信部２０３は、使用場所情報を識別する場所識別ＩＤを送信しても良い。かかる場合、情報処理装置３００は、場所識別ＩＤをキーに、予め格納している使用場所情報データから、場所識別ＩＤで識別される使用場所情報を検索する。
【００２７】
判断結果情報出力部２０４は、判断結果情報送受信部２０３が受信した判断結果情報を出力する。「出力」とは、例えば、ディスプレイへ表示、印刷、音出力、他の装置への送信等である。判断結果情報をディスプレイへ表示する場合、判断結果情報出力部２０４は、ディスプレイとそのドライバーソフト等で実現されうる。また、判断結果情報を印刷する場合、判断結果情報出力部２０４は、プリンターとそのドライバーソフト等で実現されうる。また、判断結果情報を音出力する場合、判断結果情報出力部２０４は、スピーカーとそのドライバーソフト等で実現されうる。また、判断結果情報を他の装置に送信する場合、判断結果情報出力部２０４は、例えば、ネットワークカードとそのドライバーソフト等で実現されうる。判断結果情報が位置情報と使用場所情報が一定の条件を満たすことを示す情報である場合、判断結果情報出力部２０４は、クレジットカードが使用できる旨の表示をする。また、判断結果情報が位置情報と使用場所情報が一定の条件を満たさないことを示す情報である場合、クレジットカードが使用できない旨のエラー表示をする。また、判断結果情報が位置情報と使用場所情報が一定の条件を満たさないことを示す情報である場合、警告ランプを点滅する、または、警告音等を出力する等しても良い。
【００２８】
決済実行部２０５は、判断結果情報送受信部２０３で受信した判断結果情報が位置情報と使用場所情報が一定の条件を満たすことを示す情報である場合、カード決済を実行する。「カード決済を実行する」とは、クレジットカードでの支払を可能にすることであり、例えば、カードリーダー等の場合、料金明細書を印刷出力すること、また、パソコン等の場合、クレジットカード決済された旨の情報を画面上に表示する等である。なお、「カード決済を停止する」処理は、クレジットカードでの支払いができないようにする処理で、例えば、カードリーダー等の場合、料金明細書を印刷出力しないこと、エラー表示（例えば、クレジットカード会社に問合せすることを示す情報を表示等）すること等である。また、パソコン等の場合、クレジットカード決済がされない旨の情報を画面上に表示する等である。
【００２９】
情報受信部３０１は、カード識別情報と、使用場所情報を、クレジットカード決済装置２００から受信する。情報受信部３０１は、例えば、ネットワークカードとそのドライバーソフト等で実現されうる。
【００３０】
位置情報問合受信部３０２は、情報受信部３０１で受信したカード識別情報で識別されるクレジットカードの位置に関する問い合わせをし、当該問合せに対応する位置情報を受信する。位置情報問合受信部３０２は、以下の手段等を有している。
【００３１】
検索手段３０２１は、情報受信部３０１で受信したカード識別情報をキーに、カード所有者情報格納部３０３に格納しているカード所有者情報から、通信番号を検索する。「通信番号」は、クレジットカード１００に固有の通信番号である。検索手段３０２１は、通常、ＭＰＵやメモリ等から実現され得る。「検索する」ための処理手順は、通常、ソフトウェアで実現され、当該ソフトウェアはＲＯＭ等の記録媒体に記録されている。但し、ハードウェア（専用回路）で実現しても良い。
【００３２】
問合受信手段３０２２は、検索手段３０２１で検索された通信番号宛てに、位置に関する問い合わせをし、当該問い合せに対応する位置情報を受信する。「位置に関する問い合わせ」とは、例えば、クレジットカードの位置を示す位置情報を情報処理装置３００に送信することを意味する問合せ等である。問合受信手段３０２２は、例えば、通信手段等で実現されうる。
【００３３】
カード所有者情報格納部３０３は、カード所有者情報を格納している。「カード所有者情報」とは、クレジットカードの正規の所有者に関する情報であり、例えば、カード番号、氏名、住所、生年月日、通信番号等である。カード所有者情報格納部３０３は、不揮発性の記録媒体が好適であるが、揮発性の記録媒体であっても良い。
【００３４】
判断部３０４は、位置情報問合受信部３０２が受信した位置情報と情報受信部３０１が受信した使用場所情報が一定の条件を満たすか否かを判断する。判断部３０４は、通常、ＭＰＵやメモリ等から実現され得る。「判断する」ための処理手順は、通常、ソフトウェアで実現され、当該ソフトウェアはＲＯＭ等の記録媒体に記録されている。但し、ハードウェア（専用回路）で実現しても良い。
【００３５】
判断結果情報送信部３０５は、判断部３０４がした判断の結果の情報である判断結果情報を、クレジットカード決済装置２００へ送信する。判断結果情報送信部３０５は、例えば、ネットワークカードとそのドライバーソフト等で実現されうる。
以下、本実施の形態におけるクレジットカード１００の動作について図２のフローチャートを用いて説明する。
【００３６】
（ステップＳ２０１）位置情報送受信部１０２は、位置情報の問合せを受信したか否かを判断する。位置情報送受信部１０２は、当該問合せを受信した場合、ステップＳ２０２に行き、そうでない場合、ステップＳ２０１に戻る。
【００３７】
（ステップＳ２０２）位置情報取得部１０３は、ステップＳ２０１で受信した問合せに対応して、位置情報を取得する。なお、位置情報取得部１０３は、一定時間毎に位置情報を取得し、一時格納することを繰り返していても良い。
（ステップＳ２０３）位置情報送受信部１０２は、ステップＳ２０２で取得した位置情報を送信する。ステップＳ２０１に戻る。
以下、本実施の形態におけるクレジットカード決済装置２００の動作について図３のフローチャートを用いて説明する。
【００３８】
（ステップＳ３０１）カード識別情報取得部２０２は、カード識別情報を取得したか否かを判断する。カード識別情報取得部２０２は、当該取得した場合、ステップＳ３０２に行き、そうでない場合、ステップＳ３０１に戻る。
（ステップＳ３０２）判断結果情報送受信部２０３は、使用場所情報格納部２０２から使用場所情報を取得する。
【００３９】
（ステップＳ３０３）判断結果情報送受信部２０３は、ステップＳ３０１で取得したカード識別情報と、ステップＳ３０２で取得した使用場所情報を、情報処理装置３００へ送信する。
【００４０】
（ステップＳ３０４）判断結果情報送受信部２０３は、判断結果情報を受信したか否かを判断する。判断結果情報送受信部２０３は、判断結果情報を受信した場合ステップＳ３０６に行き、そうでない場合、ステップＳ３０５に行く。
【００４１】
（ステップＳ３０５）判断結果情報送受信部２０３は、一定の期間が経過したか否かを判断する。一定の期間が経過した場合、ステップＳ３０９に行き、そうでない場合、ステップＳ３０４に戻る。「一定の期間」とは、任意の期間である。
（ステップＳ３０６）判断結果情報出力部２０４は、ステップＳ３０４で受信した判断結果情報を出力する。
【００４２】
（ステップＳ３０７）決済実行部２０５は、ステップＳ３０４で受信した判断結果情報が、位置情報と使用場所情報が一定の条件を満たす旨の情報であるか否かを判断する。決済実行部２０５は、位置情報と使用場所情報が一定の条件を満たす旨の判断結果情報である場合、ステップＳ３０８に行き、そうでない場合、ステップＳ３０９に行く。
（ステップＳ３０８）決済実行部２０５は、カード決済を実行する。
（ステップＳ３０９）決済実行部２０５は、カード決済を停止する。ステップＳ３１０に行く。
【００４３】
（ステップＳ３１０）決済実行部２０５は、動作を終了するか否かを判断する。決済実行部２０５は、動作を終了すると判断した場合、動作は終了し、そうでない場合、ステップＳ３０１に戻る。
以下、本実施の形態における情報処理装置３００の動作について図４のフローチャートを用いて説明する。
【００４４】
（ステップＳ４０１）情報受信部３０１は、カード識別情報と使用場所情報を受信したか否かを判断する。情報取得部２０２は、当該受信した場合、ステップＳ４０２に行き、そうでない場合、ステップＳ４０１に戻る。
（ステップＳ４０２）検索手段３０２１は、ステップＳ４０１で受信したカード識別情報をキーに、カード所有者情報から通信番号を検索する。
（ステップＳ４０３）問合受信手段３０２２は、ステップ４０２で検索された通信番号宛てに、位置情報の問合せを行う。
【００４５】
（ステップＳ４０４）問合受信手段３０２２は、位置情報を受信したか否かを判断する。問合受信手段３０２２は、位置情報を受信した場合ステップＳ４０６に行き、そうでない場合、ステップＳ４０５に行く。
【００４６】
（ステップＳ４０５）問合受信手段３０２２は、一定の期間が経過したか否かを判断する。一定の期間が経過した場合、ステップＳ４０８に行き、そうでない場合、ステップＳ４０４に戻る。「一定の期間」とは、任意の期間である。なお、一定期間内に、位置情報を受信しない場合、カード使用不可である旨のエラー情報を、クレジットカード決済装置２００に送信しても良い。かかる場合、エラー情報を送信する送信手段を有して実現されうる。また、エラー情報を送信する前に、再度位置情報の問合せを行う処理を所定回数繰り返すものでもよい。
（ステップＳ４０６）判断部３０４は、ステップＳ４０５で受信した位置情報と使用場所情報が一定の条件を満たすか否の判断を行う。
【００４７】
（ステップＳ４０７）判断結果情報送信部３０５は、ステップＳ４０６で判断された判断結果情報を、クレジットカード決済装置２００に送信する。ステップＳ４０１に戻る。
【００４８】
以下、本実施の形態におけるクレジットカード１００、クレジットカード決済装置２００、情報処理装置３００の具体的な動作について説明する。図５は、クレジットカード１００、クレジットカード決済装置２００、情報処理装置３００の概念を示す図である。図５において、クレジットカード１００は、「ＡＢＣカード」である。クレジットカード決済装置２００は、カードレーダー付キャッシュレジスター、パソコン、携帯電話等である。また、ＧＰＳ通信衛星４００は、緯度経度の情報を問合せに応じて返信する。
【００４９】
以下に、クレジットカード決済装置２００がカード識別情報と使用場所情報を送信する処理について説明する。クレジットカード決済装置２００がカードリーダー付キャッシュレジスターである場合、クレジットカード１００を所定位置でスライドさせて、カード識別情報を取得する。図６は、カード識別情報のデータ例を示す図である。図６において、カード識別情報は、カード番号「１２３４５６７８９」である。次に、判断結果情報送受信部２０３は、使用場所情報を取得する。図７は、使用場所情報のデータ例を示す図である。図７において、使用場所情報は、場所の情報、緯度経度の情報等を有する。次に、判断結果情報送受信部２０３は、カード番号「１２３４５６７８９」と使用場所情報の緯度経度「北緯３４度２４分１２秒東経１３５度３１分０５秒」を、情報処理装置３００に送信する。なお、クレジットカード決済装置２００がパソコンまたは携帯電話等である場合、カード番号等のカード識別情報を、画面上の所定フィールドに入力し、受付け完了等により、カード識別情報は取得される。
【００５０】
次に、情報処理装置３００が、位置情報を受信する処理について説明する。情報受信部３０１は、クレジットカード決済装置２００から、カード番号「１２３４５６７８９」と緯度経度「北緯３４度２４分１２秒、東経１３５度３１分０５秒」を受信する。次に、検索手段３０２１は、カード番号「１２３４５６７８９」をキーに、カード所有者情報から、通信番号を検索する。図８は、カード所有者情報のデータ例を示す図である。図８において、カード所有者情報は、カード番号、氏名、生年月日、通信番号等を有する。検索手段３０２１は、通信番号「０１０２３４５６」を検索する。次に、問合受信手段３０２２は、通信番号「０１０２３４５６」宛てに、位置に関する問い合わせを行う。クレジットカード１００の位置情報取得部１０３は、当該問合せに応じて、位置情報を取得する。位置情報取得部１０３は、ＧＰＳ通信衛星４００から、緯度経度の情報を取得する。図９は、位置情報のデータ例を示す図である。図９において、位置情報は、緯度経度の情報である。なお「当該緯度経度をＧＰＳ通信衛星から取得する技術」は従来技術であるので、詳細な説明は省略する。次に、位置情報送受信部１０２は、当該取得された緯度経度「北緯３４度２４分１２秒、東経１３５度３１分０５秒」の情報を、情報処理装置３００に送信する。次に、問合受信手段３０２２は、クレジットカード１００から、当該緯度経度「北緯３４度２４分１２秒、東経１３５度３１分０５秒」の情報を受信する。
【００５１】
次に、情報処理装置３００が、判断結果情報を送信する処理について説明する。判断部３０４は、問合受信手段３０２２が受信した、緯度経度「北緯３４度２４分１２秒、東経１３５度３１分０５秒」の位置情報と、使用場所情報の緯度経度「北緯３４度２４分１２秒、東経１３５度３１分０５秒」とが、一定の条件を満たすか否かを判断する。今、両方の緯度経度の情報は、同一である。よって、判断部３０４は、位置情報と使用情報が一定の条件を満たすとの判断をする。次に、判断結果情報送信部３０５は、判断部３０４が判断した、「位置情報と使用情報が一定の条件を満たす旨の判断結果情報」を、クレジットカード決済装置２００に送信する。「位置情報と使用情報が一定の条件を満たす旨の判断結果情報」とは、例えば、「クレジットカードは使用できます」という内容の情報等である。一方、例えば、位置情報の緯度経度「北緯３４度２４分１２秒、東経１３５度３１分０５秒」であり、使用場所情報の緯度経度「北緯３４度２９分１２秒、東経１３５度３４分２３秒」である場合には、判断部３０４は、位置情報と使用情報が一定の条件を満たさないとの判断をし、判断結果情報送信部３０５は、「位置情報と使用情報が一定の条件を満たさない旨の判断結果情報」を送信する。「位置情報と使用情報が一定の条件を満たさない旨の判断結果情報」とは、例えば、「クレジットカードは使用できません」という内容の情報等である。
【００５２】
次に、クレジットカード決済装置２００が、判断結果情報を出力する処理について説明する。判断結果情報送受信部２０３は、情報処理装置３００から、判断結果情報を受信する。次に、判断結果情報出力部２０４は、判断結果情報を出力する。例えば、判断結果情報が、位置情報と使用情報が一定の条件を満たす旨の情報である場合についての出力例を図１０に示す。図１０は、カードリーダー付キャッシュレジスターのディスプレイの表示例を示す図である。図１０において、判断結果情報出力部２０４は、判断結果情報「クレジットカードは使用できます」を表示する。一方、判断結果情報が、位置情報と使用情報が一定の条件を満たさない旨の情報である場合についての出力例を図１１に示す。図１１は、カードリーダー付キャッシュレジスターのディスプレイの表示例を示す図である。図１１において、判断結果情報出力部２０４は、判断結果情報「クレジットカードは使用できません」を表示する。
【００５３】
次に、クレジットカード決済装置２００が、カード決済を実行する処理について説明する。決済実行部２０５は、判断結果情報が「位置情報と使用情報が一定の条件を満たす旨の情報」である場合、カード決済を実行する。つまり、クレジットカード１００は、偽造クレジットカード等でないので、支払を行っても良いと判断される。一方、決済実行部２０５は、判断結果情報が「位置情報と使用情報が一定の条件を満たさない旨の情報」である場合、カード決済を実行せず、停止する。すなわち、クレジットカード１００は、偽造クレジットカード等であるので、支払を停止する。具体的な、カード決済の態様は、上記で記載したので、ここでは省略する。なお、カード決済の態様は、上記に記載された態様に限定されず、その他の態様でも良いことは言うまでもない。
【００５４】
以上、本実施の形態によれば、偽造クレジットカードでの支払いを簡単に防止できる。また、不正な手段でインターネット上でのクレジットカード支払いも未然に防止できる。また、クレジットカードを紛失した場合に、位置情報を問合せ、受信することで、クレジットカードの所在が分かる。例えば、家の中で紛失した場合には、他人が偽造クレジットカードを作成したり、流用したりすること等がないので、クレジットカードをみつければ、そのまま使用でき、新たにクレジットカードを作成する必要がない。
【００５５】
さらに、本実施の形態において説明したクレジットカード決済装置２００の動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。なお、本実施の形態における動作をソフトウェアで実現した場合のプログラムは、以下のようになる。コンピュータに、クレジットカードを識別する情報であるカード識別情報を取得するカード識別情報取得ステップと、クレジットカードを使用する場所に関する情報である使用場所情報と、カード識別情報を送信する送信ステップと、カード識別情報で識別されるクレジットカードの位置情報と使用場所情報が一定の条件を満たすか否かを示す情報である判断結果情報を受信する判断結果情報受信ステップと、判断結果情報受信ステップで受信した判断結果情報を出力する判断結果情報出力ステップを実行させるためのプログラムである。
【００５６】
また、コンピュータに、判断結果情報送受信ステップで受信した判断結果情報が位置情報と使用場所情報が一定の条件を満たすことを示す情報である場合、カード決済を実行する決済実行ステップを、さらに実行させるための上記記載のプログラムである。
【００５７】
また、本実施の形態において説明した情報処理装置３００における動作をソフトウェアで実現した場合のプログラムは、以下のようになる。コンピュータに、クレジットカードを識別する情報であるカード識別情報と、クレジットカードを使用する場所に関する情報である使用場所情報を受信する情報受信ステップと、情報受信ステップで受信したカード識別情報で識別されるクレジットカードの位置に関する問い合わせをし、当該問合せに対応する位置情報を受信する位置情情報問合受信ステップと、位置情報問合受信ステップが受信した位置情報と前記使用場所情報が一定の条件を満たすか否かを判断する判断ステップと、判断ステップでした、位置情報と使用場所情報が一定の条件を満たすか否かを示す情報である判断結果情報を送信する判断結果情報送信ステップを実行させるためのプログラムである。
【産業上の利用可能性】
【００５８】
以上のように、本発明は、偽造クレジットカードでの支払いを簡単に防止でき、また、不正な手段でインターネット上でのクレジットカード支払いも未然に防止できる等の効果を有し、例えば、クレジットカード決済システム等に有用である。
【図面の簡単な説明】
【００５９】
【図１】実施の形態１におけるクレジットカード、クレジットカード決済装置、情報処理装置の構成を示すブロック図
【図２】実施の形態１におけるクレジットカードの動作を示すフローチャート
【図３】実施の形態１におけるクレジットカード決済装置の動作を示すフローチャート
【図４】実施の形態１における情報処理装置の動作を示すフローチャート
【図５】実施の形態１におけるクレジットカード、クレジットカード決済装置、情報処理装置の概念の例を示す図
【図６】実施の形態１におけるカード識別情報のデータ例を示す図
【図７】実施の形態１における使用場所情報のデータ例を示す図
【図８】実施の形態１におけるカード所有者情報のデータの例を示す図
【図９】実施の形態１における位置情報のデータの例を示す図
【図１０】実施の形態１におけるカードリーダー付キャッシュレジスターのディスプレイの表示例を示す図
【図１１】実施の形態１におけるカードリーダー付キャッシュレジスターのディスプレイの表示例を示す図
【符号の説明】
【００６０】
１００  クレジットカード
１０１  カード識別情報格納部
１０２  位置情報送受信部
１０３  位置情報取得部
２００  クレジットカード決済装置
２０１  使用場所情報格納部
２０２  カード識別情報取得部
２０３  判断結果情報送受信部
２０４  判断結果情報出力部
２０５  決済実行部
３００  情報処理装置
３０１  情報受信部
３０２  位置情報問合受信部
３０３  カード所有者情報格納部
３０４  判断部
３０５  判断結果情報送信部
３０２１  検索手段
３０２２  問合受信部
【図１】
2005107661.tif 000003
【図２】
2005107661.tif 000004
【図３】
2005107661.tif 000005
【図４】
2005107661.tif 000006
【図５】
2005107661.tif 000007
【図６】
2005107661.tif 000008
【図７】
2005107661.tif 000009
【図８】
2005107661.tif 000010
【図９】
2005107661.tif 000011
【図１０】
2005107661.tif 000012
【図１１】
2005107661.tif 000013